(57)【要約】      （修正有）【課題】ポジティブな事柄と、ネガティブな事柄とを一緒に記入していくことができるとともに、後にポジティブな事柄のみを読み返すことができるノートを提供する。【解決手段】ノート１は、複数のページ２と、複数のページ２を一方の端部に沿って綴じるための綴じ部５とを備えている。複数のページ２のそれぞれは、綴じ部５側に設けられた第１の記入欄２１と、綴じ部５側とは反対側に設けられる第２の記入欄２２とを備えている。また、複数のページ２のそれぞれは、第１の記入欄２１と、第２の記入欄２２との間に設けられ、第２の記入欄２２を切り離すための切離部２３を備えている。前記第１の記入欄の一部には、「幸」、「嬉」、または「楽」の文字が予め記載され、前記第２の記入欄の一部には、「嫌」、「悲」、または「辛」の文字が予め記載されていることを特徴とするノート。【選択図】図４
0003181889.tif 000002
【実用新案登録請求の範囲】
【請求項１】
複数のページと、前記複数のページを綴じるための綴じ部とを備えるノートであって、
前記複数のページのそれぞれは、
前記綴じ部側の部位に設けられる第１の記入欄と、
前記綴じ部側とは反対側の部位に設けられるとともに、前記第１の記入欄と隣り合って設けられる第２の記入欄と、
前記第１の記入欄と、前記第２の記入欄との間に設けられ、前記第２の記入欄を切り離すための切離部とを備えることを特徴とするノート。
【請求項２】
請求項１に記載されたノートにおいて、
前記第１の記入欄の一部には、肯定的な文字が予め記載され、前記第２の記入欄の一部には、否定的な文字が予め記載されていることを特徴とするノート。
【請求項３】
請求項１または請求項２に記載されたノートにおいて、
前記複数のページの表面側に設けられる表表紙と、
前記複数のページの裏面側に設けられる裏表紙とを備え、
前記表表紙および前記裏表紙は、前記複数のページと同じ位置に設けられ、前記綴じ部側の部位と、前記綴じ部側とは反対側の部位とを切り離すための表紙切離部を備えることを特徴とするノート。
【請求項４】
請求項１から請求項３のいずれかに記載されたノートにおいて、
前記第１の記入欄の一部には、日付を記入するための日付記入欄が予め設けられていることを特徴とするノート。
【考案の詳細な説明】
【技術分野】
【０００１】
本考案は、ノートに関し、特に日々の出来事を書き留める日記に好適に利用することができるノートに関する。
【背景技術】
【０００２】
従来、日々の出来事を連続的にノートなどの紙に書き留める日記が知られている。
例えば、特許文献１に記載された日記帳では、日付や曜日を印刷したシールを使用者がページ内の所望の位置に貼りつけることによって、日々の出来事を書き留めるための記入欄の大きさをページごとに自由に設定することができる。したがって、この日記帳によれば、各ページの有限なスペースを有効に利用することができる。
【先行技術文献】
【特許文献】
【０００３】
【特許文献１】特開２００７−２７６４３３号公報
【考案の概要】
【考案が解決しようとする課題】
【０００４】
しかしながら、このような日記帳やノートでは、１日のうちに起こった幸せな出来事や嬉しかった出来事などのポジティブな事柄と、不幸せな出来事や辛かった出来事などのネガティブな事柄とを同じ記入欄に記入していくことになるので、後で読み返した時に、思い出したくもないようなネガティブな事柄を、ポジティブな事柄と一緒に読み返さなければならなくなってしまうという問題がある。
【０００５】
本考案の目的は、ポジティブな事柄と、ネガティブな事柄とを一緒に記入していくことができるとともに、後にポジティブな事柄のみを読み返すことができるノートを提供することである。
【課題を解決するための手段】
【０００６】
本考案のノートは、複数のページと、複数のページを綴じるための綴じ部とを備えるノートであって、複数のページのそれぞれは、綴じ部側の部位に設けられる第１の記入欄と、綴じ部側とは反対側の部位に設けられるとともに、第１の記入欄と隣り合って設けられる第２の記入欄と、第１の記入欄と、第２の記入欄との間に設けられ、第２の記入欄を切り離すための切離部とを備えることを特徴とする。
【０００７】
このような構成によれば、ノートの使用者は、第１の記入欄にポジティブな事柄を記入し、第２の記入欄にネガティブな事柄を記入していくことによって、ポジティブな事柄と、ネガティブな事柄とを一緒に記入していくことができる。
また、本考案のノートは、切離部を備えているので、ネガティブな事柄を記入した第２の記入欄を後で切り離すことができる。したがって、本考案によれば、ノートの使用者は、後にポジティブな事柄のみを読み返すことができる。
【０００８】
本考案では、第１の記入欄の一部には、肯定的な文字が予め記載され、第２の記入欄の一部には、否定的な文字が予め記載されていることが好ましい。
【０００９】
このような構成によれば、ノートの使用者は、肯定的な文字を見ることによって、ポジティブな事柄を連想することができるので、ポジティブな事柄を直感的に第１の記入欄に記入していくことができる。
また、ノートの使用者は、否定的な文字を見ることによって、ネガティブな事柄を連想することができるので、ネガティブな事柄を直感的に第２の記入欄に記入していくことができる。
【００１０】
すなわち、肯定的な文字を予め第１の記入欄の一部に記載し、否定的な文字を予め第２の記入欄の一部に記載しておくことによって、第１の記入欄にポジティブな事柄を記入すべきであること、および第２の記入欄にネガティブな事柄を記入すべきであることをノートの使用者に対して示唆することができる。したがって、本考案によれば、ノートの使用者に対してノートの有効な使用方法を示唆することができる。
【００１１】
本考案では、複数のページの表面側に設けられる表表紙と、複数のページの裏面側に設けられる裏表紙とを備え、表表紙および裏表紙は、複数のページと同じ位置に設けられ、綴じ部側の部位と、綴じ部側とは反対側の部位とを切り離すための表紙切離部を備えることが好ましい。
【００１２】
このような構成によれば、表表紙および裏表紙は、表紙切離部を備えているので、複数のページにおける第２の記入欄を切離部にて切り離すとともに、表表紙および裏表紙における綴じ部側とは反対側の部位を表紙切離部にて切り離すことによって、後にポジティブな事柄のみを読み返すことができる元の半分の大きさの新たなノートにすることができる。
【００１３】
本考案では、第１の記入欄の一部には、日付を記入するための日付記入欄が予め設けられていることが好ましい。
【００１４】
このような構成によれば、第２の記入欄を切り離した後も複数のページのそれぞれに日付記入欄を残すことができるので、ノートの使用者は、後にポジティブな事柄のみを読み返すときに日付を確実に参照することができる。
【図面の簡単な説明】
【００１５】
【図１】本考案の一実施形態に係るノートを表表紙側から見た斜視図
【図２】ノートを裏表紙側から見た斜視図
【図３】表表紙をめくって複数のページの表面を露出させた状態を示す図
【図４】第２の記入欄を切離部にて切り離した状態を示す図
【図５】表表紙および裏表紙を表紙切離部にて切り離した状態を示す図
【考案を実施するための形態】
【００１６】
以下、本考案の一実施形態を図面に基づいて説明する。
図１は、本考案の一実施形態に係るノート１を表表紙側から見た斜視図である。図２は、ノート１を裏表紙側から見た斜視図である。
ノート１は、図１および図２に示すように、複数のページ２と、複数のページ２の表面側に設けられた表表紙３と（図１参照）、複数のページ２の裏面側に設けられた裏表紙４と（図２参照）、複数のページ２、表表紙３、および裏表紙４のそれぞれを一方の端部（図１中左側の端部）に沿って綴じるための綴じ部５とを備えている。
なお、複数のページ２は、長方形状の紙であり、表表紙３および裏表紙４は、複数のページ２と同一形状の厚紙である。
【００１７】
綴じ部５は、複数のページ２、表表紙３、および裏表紙４のそれぞれに等間隔で直線状に形成された複数の矩形状の小孔５１と、これらの小孔５１に取り付けられるリング５２とを備えている。すなわち、ノート１は、リング綴じによって製本されている。
【００１８】
図３は、表表紙３をめくって複数のページ２の表面を露出させた状態を示す図である。
複数のページ２のそれぞれは、図３に示すように、綴じ部５側（図中左側）に設けられる第１の記入欄２１と、綴じ部５側とは反対側（図中右側）に設けられる第２の記入欄２２とを備えている。換言すれば、第２の記入欄２２は、第１の記入欄２１と隣り合って設けられている。
【００１９】
第１の記入欄２１は、等間隔で横方向に引かれた罫線２１Ａと、罫線２１Ａの上部に記載された肯定的な文字２１Ｂと、肯定的な文字２１Ｂの更に上部に設けられた日付記入欄２１Ｃとを備えている。
すなわち、第１の記入欄２１の一部には、肯定的な文字２１Ｂが予め記載されるとともに、日付を記入するための日付記入欄２１Ｃが予め設けられている。なお、本実施形態では、肯定的な文字２１Ｂとして、「幸」と、「嬉」と、「楽」とを記載している。
【００２０】
第２の記入欄２２は、等間隔で横方向に引かれた罫線２２Ａと、罫線２２Ａの上部に記載された否定的な文字２２Ｂとを備えている。
すなわち、第２の記入欄２２の一部には、否定的な文字２２Ｂが予め記載されている。なお、本実施形態では、否定的な文字２２Ｂとして、「嫌」と、「悲」と、「辛」とを記載している。
【００２１】
また、複数のページ２のそれぞれは、第１の記入欄２１と、第２の記入欄２２との間に設けられ、第２の記入欄２２を切り離すための切離部２３を備えている。具体的には、切離部２３は、縦方向に形成されたミシン目である。
【００２２】
さらに、表表紙３および裏表紙４は、図１〜図３に示すように、複数のページ２と同じ位置に設けられ、綴じ部５側の部位と、綴じ部５側とは反対側の部位とを切り離すための表紙切離部３１，４１を備えている。具体的には、表紙切離部３１，４１は、縦方向に形成されたミシン目である。そして、表表紙３における綴じ部５側の部位の略中央位置には、ノート１の表題３２が記載されている（図１参照）。
なお、本実施形態では、表題３２として、日本語の「幸せノート」と、英語の「Ｈａｐｐｙ  Ｎｏｔｅｂｏｏｋ」とを上下に並べて記載している。
【００２３】
次に、ノート１の有効な使用方法について説明する。
ノート１を有効に使用するには、ノート１の使用者は、その日の日付を日付記入欄２１Ｃに記入するとともに、その日に起こった幸せな出来事や嬉しかった出来事などのポジティブな事柄を第１の記入欄２１に記入し、不幸せな出来事や辛かった出来事などのネガティブな事柄を第２の記入欄２２に記入する。
【００２４】
図４は、第２の記入欄２２を切離部２３にて切り離した状態を示す図である。
第１の記入欄２１および第２の記入欄２２への記入を終えた後、ノート１の使用者は、図４に示すように、ネガティブな事柄を記入した第２の記入欄２２を切離部２３にて切り離す。
なお、ノート１の使用者は、この切り離された第２の記入欄２２をクシャクシャに丸めたり、ビリビリに破いたりして捨てることによって、その日のうちにネガティブな事柄によって生じていたストレスを解消することができる。
【００２５】
図５は、表表紙３および裏表紙４を表紙切離部３１，４１にて切り離した状態を示す図である。
複数のページ２の全てへの記入を終えた後、ノート１の使用者は、図５に示すように、表表紙３および裏表紙４における綴じ部５側とは反対側の部位を表紙切離部３１，４１にて切り離すことによって、後にポジティブな事柄のみを読み返すことができる元の半分の大きさの新たなノートにすることができる。
【００２６】
このような本実施形態によれば、以下の作用・効果を奏することができる。
（１）ノート１は、複数のページ２と、綴じ部５とを備え、複数のページ２のそれぞれは、第１の記入欄２１と、第２の記入欄２２とを備えているので、ノート１の使用者は、第１の記入欄２１にポジティブな事柄を記入し、第２の記入欄２２にネガティブな事柄を記入していくことによって、ポジティブな事柄と、ネガティブな事柄とを一緒に記入していくことができる。
（２）複数のページ２のそれぞれは、切離部２３を備えているので、ネガティブな事柄を記入した第２の記入欄２２を後で切り離すことができる。したがって、ノート１の使用者は、後にポジティブな事柄のみを読み返すことができる。
【００２７】
（３）第１の記入欄２１の一部には、肯定的な文字２１Ｂが予め記載され、第２の記入欄２２の一部には、否定的な文字２２Ｂが予め記載されているので、第１の記入欄２１にポジティブな事柄を記入すべきであること、および第２の記入欄２２にネガティブな事柄を記入すべきであることをノート１の使用者に対して示唆することができる。したがって、ノート１の使用者に対してノート１の有効な使用方法を示唆することができる。
【００２８】
（４）表表紙３および裏表紙４は、表紙切離部３１，４１を備えているので、複数のページ２における第２の記入欄２２を切離部２３にて切り離すとともに、表表紙３および裏表紙４における綴じ部５側とは反対側の部位を表紙切離部３１，４１にて切り離すことによって、後にポジティブな事柄のみを読み返すことができる元の半分の大きさの新たなノートにすることができる。
【００２９】
（５）第１の記入欄２１の一部には、日付を記入するための日付記入欄２１Ｃが予め設けられているので、第２の記入欄２２を切り離した後も複数のページ２のそれぞれに日付記入欄２１Ｃを残すことができる。したがって、ノート１の使用者は、後にポジティブな事柄のみを読み返すときに日付を確実に参照することができる。
【００３０】
なお、本考案は前記実施形態に限定されるものではなく、本考案の目的を達成できる範囲での変形、改良等は本考案に含まれるものである。
例えば、前記実施形態では、ノート１は、リング綴じによって製本されていたが、テープ製本などの他の製本方法によって製本されていてもよい。要するに、綴じ部は、複数のページを綴じるためのものであればよい。
【００３１】
また、前記実施形態では、第１の記入欄２１および第２の記入欄２２は、左右に隣り合って設けられ、綴じ部５は、複数のページ２のそれぞれを左側の端部に沿って綴じていた。これに対して、第１の記入欄および第２の記入欄は、上下に隣り合って設けられていてもよく、この場合には、綴じ部は、複数のページのそれぞれを上側の端部に沿って綴じていればよい。要するに、複数のページのそれぞれは、綴じ部側の部位に設けられる第１の記入欄と、綴じ部側とは反対側の部位に設けられるとともに、第１の記入欄と隣り合って設けられる第２の記入欄とを備えていればよい。
【００３２】
また、前記実施形態では、肯定的な文字２１Ｂとして、「幸」と、「嬉」と、「楽」とを記載していたが、ポジティブな事柄を連想することができる文字であれば他の文字であってもよい。さらに、前記実施形態では、否定的な文字２２Ｂとして、「嫌」と、「悲」と、「辛」とを記載していていたが、ネガティブな事柄を連想することができる文字であれば他の文字であってもよい。さらに、ノート１の使用者に対してノート１の有効な使用方法を示唆しなくてもよい場合は、第１の記入欄２１には、肯定的な文字２１Ｂが予め記載されていなくてもよく、第２の記入欄２２には、否定的な文字２２Ｂが予め記載されていなくてもよい。
【００３３】
また、前記実施形態では、ノート１は、表表紙３と、裏表紙４とを備え、表表紙３および裏表紙４は、表紙切離部３１，４１を備えていたが、表紙切離部３１，４１を備えていなくてもよい。さらに、ノート１は、表表紙３および裏表紙４を備えていなくてもよい。
また、前記実施形態では、第１の記入欄２１の一部には、日付記入欄２１Ｃが予め設けられていたが、日付記入欄２１Ｃは設けられていなくてもよい。
【００３４】
また、前記実施形態では、切離部２３は、ミシン目であったが、第２の記入欄２２を切り離すことができるものであれば他の加工を施してもよい。また、前記実施形態では、表紙切離部３１，４１は、ミシン目であったが、綴じ部５側とは反対側の部位を切り離すことができるものであれば他の加工を施してもよい。要するに、切離部は、第２の記入欄を切り離すためのものであればよく、表紙切離部は、綴じ部側とは反対側の部位を切り離すためのものであればよい。
【００３５】
また、前記実施形態では、ノート１は、日々の出来事を書き留める日記に使用されていたが、日記とは異なる他の用途に使用されてもよい。要するに、ノートは、第１の記入欄にポジティブな事柄を記入し、第２の記入欄にネガティブな事柄を記入していくように使用されていればよい。
【産業上の利用可能性】
【００３６】
以上のように、本考案は、ノートに適用でき、特に日々の出来事を書き留める日記に好適に利用することができるノートに広く適用できる。
【符号の説明】
【００３７】
１          ノート
２          複数のページ
３          表表紙
４          裏表紙
５          綴じ部
２１        第１の記入欄
２１Ａ      罫線
２１Ｂ      肯定的な文字
２１Ｃ      日付記入欄
２２        第２の記入欄
２２Ａ      罫線
２２Ｂ      否定的な文字
２３        切離部
３１，４１  表紙切離部
３２        表題
５１        小孔
５２        リング
【図１】
0003181889.tif 000003
【図２】
0003181889.tif 000004
【図３】
0003181889.tif 000005
【図４】
0003181889.tif 000006
【図５】
0003181889.tif 000007
【手続補正書】
【提出日】平成24年12月10日(2012.12.10)
【手続補正１】
【補正対象書類名】実用新案登録請求の範囲
【補正対象項目名】全文
【補正方法】変更
【補正の内容】
【実用新案登録請求の範囲】
【請求項１】
複数のページと、前記複数のページを綴じるための綴じ部とを備えるノートであって、
前記複数のページのそれぞれは、
前記綴じ部側の部位に設けられる第１の記入欄と、
前記綴じ部側とは反対側の部位に設けられるとともに、前記第１の記入欄と隣り合って設けられる第２の記入欄と、
前記第１の記入欄と、前記第２の記入欄との間に設けられ、前記第２の記入欄を切り離すための切離部とを備えることを特徴とするノート。
【請求項２】
請求項１に記載されたノートにおいて、
前記第１の記入欄の一部には、「幸」、「嬉」、または「楽」の文字が予め記載され、前記第２の記入欄の一部には、「嫌」、「悲」、または「辛」の文字が予め記載されていることを特徴とするノート。
【請求項３】
請求項１または請求項２に記載されたノートにおいて、
前記複数のページの表面側に設けられる表表紙と、
前記複数のページの裏面側に設けられる裏表紙とを備え、
前記表表紙および前記裏表紙は、前記複数のページと同じ位置に設けられ、前記綴じ部側の部位と、前記綴じ部側とは反対側の部位とを切り離すための表紙切離部を備えることを特徴とするノート。
【請求項４】
請求項１から請求項３のいずれかに記載されたノートにおいて、
前記第１の記入欄の一部には、日付を記入するための日付記入欄が予め設けられていることを特徴とするノート。
【手続補正２】
【補正対象書類名】明細書
【補正対象項目名】０００８
【補正方法】変更
【補正の内容】
【０００８】
本考案では、第１の記入欄の一部には、「幸」、「嬉」、または「楽」の文字が予め記載され、第２の記入欄の一部には、「嫌」、「悲」、または「辛」の文字が予め記載されていることが好ましい。
【手続補正３】
【補正対象書類名】明細書
【補正対象項目名】０００９
【補正方法】変更
【補正の内容】
【０００９】
このような構成によれば、ノートの使用者は、「幸」、「嬉」、または「楽」の文字を見ることによって、ポジティブな事柄を連想することができるので、ポジティブな事柄を直感的に第１の記入欄に記入していくことができる。
また、ノートの使用者は、「嫌」、「悲」、または「辛」の文字を見ることによって、ネガティブな事柄を連想することができるので、ネガティブな事柄を直感的に第２の記入欄に記入していくことができる。
【手続補正４】
【補正対象書類名】明細書
【補正対象項目名】００１０
【補正方法】変更
【補正の内容】
【００１０】
すなわち、「幸」、「嬉」、または「楽」の文字を予め第１の記入欄の一部に記載し、「嫌」、「悲」、または「辛」の文字を予め第２の記入欄の一部に記載しておくことによって、第１の記入欄にポジティブな事柄を記入すべきであること、および第２の記入欄にネガティブな事柄を記入すべきであることをノートの使用者に対して示唆することができる。したがって、本考案によれば、ノートの使用者に対してノートの有効な使用方法を示唆することができる。